(57)【要約】  免許不要帯域で通信を行う方法及びその装置を提供する。ＵＥにより免許不要帯域で通信を行う方法は、基地局からＳＩスケジューリング情報を受信する段階と、ＳＩスケジューリング情報に基づき、ＳＩメッセージに対する一次ＳＩウィンドウ番号又は二次ＳＩウィンドウ番号のうちの少なくとも一つを識別する段階と、一次ＳＩウィンドウ番号に対応する少なくとも１つのウィンドウをモニタリングする段階と、ＳＩメッセージが受信されないことに応答して、二次ＳＩウィンドウ番号に対応する少なくとも１つのウィンドウをモニタリングする段階と、を有する。
2022502897.tif 000002
【特許請求の範囲】
【請求項１】
ユーザ装置（ＵＥ）により免許不要帯域で通信を行う方法であって、
基地局からシステム情報（ＳＩ）スケジューリング情報を受信する段階と、
前記ＳＩスケジューリング情報に基づき、ＳＩメッセージに対する一次ＳＩウィンドウ番号又は二次ＳＩウィンドウ番号のうちの少なくとも一つを識別する段階と、
前記一次ＳＩウィンドウ番号に対応する少なくとも１つのウィンドウをモニタリングする段階と、
前記ＳＩメッセージが受信されないことに応答して、前記二次ＳＩウィンドウ番号に対応する少なくとも１つのウィンドウをモニタリングする段階と、を有することを特徴とするＵＥにより免許不要帯域で通信を行う方法。
【請求項２】
前記ＳＩメッセージの二次ＳＩウィンドウ番号が他のＳＩメッセージの一次ＳＩウィンドウ番号に該当するか否かを識別する段階を更に含み、
前記ＳＩメッセージの二次ＳＩウィンドウ番号が他のＳＩメッセージの一次ＳＩウィンドウ番号と異なることに応答して、前記二次ＳＩウィンドウ番号に対応する少なくとも１つのウィンドウがモニタリングされることを特徴とする請求項１に記載のＵＥにより免許不要帯域で通信を行う方法。
【請求項３】
前記基地局のＳＩメッセージに対する制御リソースセット（ＣＯＲＥＳＥＴ）情報を獲得する段階と、
前記ＣＯＲＥＳＥＴ情報に基づき、同一ＳＩウィンドウで送信されるＳＩメッセージを識別する段階と、を更に含むことを特徴とする請求項１に記載のＵＥにより免許不要帯域で通信を行う方法。
【請求項４】
特定免許不要キャリア周波数で検出されたセルのＳＩを受信する段階と、
受信されたＳＩに基づき、前記セルの公共陸上移動ネットワーク識別子（ＰＬＭＮ  ＩＤ）が端末に対する所望するＰＬＭＮ  ＩＤに該当するか否かを識別する段階と、
前記セルのＰＬＭＮ  ＩＤが所望するＰＬＭＮ  ＩＤに該当しない場合、前記ＳＩに含まれる他のＰＬＭＮ情報に基づき、前記特定免許不要キャリア周波数で他のセルを探索するか否かを判定する段階と、を更に含むことを特徴とする請求項１に記載のＵＥにより免許不要帯域で通信を行う方法。
【請求項５】
基地局により免許不要帯域で通信を行う方法であって、
システム情報（ＳＩ）メッセージに対する一次ＳＩウィンドウ番号及び二次ＳＩウィンドウ番号を獲得する段階と、
前記一次ＳＩウィンドウ番号及び前記二次ＳＩウィンドウ番号を含むＳＩスケジューリング情報を送信する段階と、
ウィンドウが使用されていない場合、前記一次ＳＩウィンドウ番号又は前記二次ＳＩウィンドウ番号に対応するウィンドウでＳＩメッセージを送信する段階と、を有することを特徴とする基地局により免許不要帯域で通信を行う方法。
【請求項６】
前記ＳＩメッセージの二次ＳＩウィンドウ番号が他のＳＩメッセージの一次ＳＩウィンドウ番号と異なることに応答して、前記二次ＳＩウィンドウ番号に対応する少なくとも１つのウィンドウがユーザ装置（ＵＥ）でモニタリングされることを特徴とする請求項５に記載の基地局により免許不要帯域で通信を行う方法。
【請求項７】
前記基地局のＳＩメッセージに対する制御リソースセット（ＣＯＲＥＳＥＴ）情報又はＢＷＰ（ｂａｎｄｗｉｄｔｈ  ｐａｒｔ）情報を送信する段階を更に含むことを特徴とする請求項５に記載の基地局により免許不要帯域で通信を行う方法。
【請求項８】
前記ＳＩメッセージは、セルの公共陸上移動ネットワーク識別子（ＰＬＭＮ  ＩＤ）と、特定免許不要キャリア周波数上の他のセルの少なくとも１つのＰＬＭＮ  ＩＤに関する情報と、を含むことを特徴とする請求項５に記載の基地局により免許不要帯域で通信を行う方法。
【請求項９】
免許不要帯域で通信を行うユーザ装置（ＵＥ）であって、
トランシーバと、
前記トランシーバに連結されるプロセッサと、を備え、
前記プロセッサは、
基地局からシステム情報（ＳＩ）スケジューリング情報を受信するように前記トランシーバを制御し、
前記ＳＩスケジューリング情報に基づき、ＳＩメッセージに対する一次ＳＩウィンドウ番号又は二次ＳＩウィンドウ番号のうちの少なくとも一つを識別し、
前記一次ＳＩウィンドウ番号に対応する少なくとも１つのウィンドウをモニタリングし、
前記ＳＩメッセージが受信されないことに応答して、前記二次ＳＩウィンドウ番号に対応する少なくとも１つのウィンドウをモニタリングするように構成されることを特徴とするＵＥ。
【請求項１０】
前記プロセッサは、
前記ＳＩメッセージの二次ＳＩウィンドウ番号が他のＳＩメッセージの一次ＳＩウィンドウ番号に該当するか否かを識別し、
前記ＳＩメッセージの二次ＳＩウィンドウ番号が他のＳＩメッセージの一次ＳＩウィンドウ番号と異なることに応答して、前記二次ＳＩウィンドウ番号に対応する少なくとも１つのウィンドウをモニタリングするように構成されることを特徴とする請求項９に記載のＵＥ。
【請求項１１】
前記プロセッサは、
前記基地局のＳＩメッセージに対する制御リソースセット（ＣＯＲＥＳＥＴ）情報を獲得し、
前記ＣＯＲＥＳＥＴ情報に基づき、同一ＳＩウィンドウで送信されるＳＩメッセージを識別するように構成されることを特徴とする請求項９に記載のＵＥ。
【請求項１２】
前記プロセッサは、
特定免許不要キャリア周波数で検出されたセルのＳＩを受信するように前記トランシーバを制御し、
受信されたＳＩメッセージに基づき、前記セルの公共陸上移動ネットワーク識別子（ＰＬＭＮ  ＩＤ）が端末に対する所望するＰＬＭＮ  ＩＤに該当するか否かを識別し、
前記セルのＰＬＭＮ  ＩＤが所望するＰＬＭＮ  ＩＤに該当しない場合、前記ＳＩに含まれる他のＰＬＭＮ情報に基づき、前記特定免許不要キャリア周波数で他のセルを探索するか否かを判定するように構成されることを特徴とする請求項９に記載のＵＥ。
【請求項１３】
免許不要帯域で通信を行う基地局であって、
トランシーバと、
前記トランシーバに連結されるプロセッサと、を備え、
前記プロセッサは、
システム情報（ＳＩ）メッセージに対する一次ＳＩウィンドウ番号及び二次ＳＩウィンドウ番号を獲得し、
前記一次ＳＩウィンドウ番号及び前記二次ＳＩウィンドウ番号を含むＳＩスケジューリング情報を送信するように前記トランシーバを制御し、
ウィンドウが使用されていない場合、前記一次ＳＩウィンドウ番号又は前記二次ＳＩウィンドウ番号に対応するウィンドウでＳＩメッセージを送信するように前記トランシーバを制御するように構成されることを特徴とする基地局。
【請求項１４】
前記ＳＩメッセージの二次ＳＩウィンドウ番号が他のＳＩメッセージの一次ＳＩウィンドウ番号と異なることに応答して、前記二次ＳＩウィンドウ番号に対応する少なくとも１つのウィンドウがユーザ装置（ＵＥ）でモニタリングされることを特徴とする請求項１３に記載の基地局。
【請求項１５】
前記プロセッサは、前記基地局のＳＩメッセージに対する制御リソースセット（ＣＯＲＥＳＥＴ）情報を送信するように前記トランシーバを制御するように構成されることを特徴とする請求項１３に記載の基地局。
【発明の詳細な説明】
【技術分野】
【０００１】
本発明は、無線通信システムに関し、より詳細には、免許不要帯域で通信を行う方法及びその装置に関する。
【背景技術】
【０００２】
第４世代（４Ｇ）通信システムの展開以後、増大した無線データトラフィックへの要求を充足させるために、改善された第５世代（５Ｇ）通信システム又はｐｒｅ−５Ｇ通信システムを開発するための努力がなされている。５Ｇ通信システム又はｐｒｅ−５Ｇ通信システムは、「４Ｇ以後（ｂｅｙｏｎｄ  ４Ｇ）ネットワーク」又は「ポストＬＴＥ（ｌｏｎｇ  ｔｅｒｍ  ｅｖｏｌｕｔｉｏｎ）システム」とも称される。５Ｇ通信システムは、更に高いデータレートを達成するために、更に高い周波数（ｍｍＷａｖｅ）帯域、例えば６０ＧＨｚ帯域で具現される。電波の伝搬損失を減らし、送信距離を延長させるために、ビームフォーミング、大規模ＭＩＭＯ（ｍｕｌｔｉｐｌｅ−ｉｎｐｕｔ  ｍｕｌｔｉｐｌｅ−ｏｕｔｐｕｔ）、ＦＤ−ＭＩＭＯ（ｆｕｌｌ  ｄｉｍｅｎｓｉｏｎａｌ  ＭＩＭＯ）、アレイアンテナ、アナログビームフォーミング、及び大規模アンテナの技法が５Ｇ通信システムについて論議されている。また、５Ｇ通信システムにおいて、次世代小型セル、クラウドＲＡＮ（ｒａｄｉｏ  ａｃｃｅｓｓ  ｎｅｔｗｏｒｋ）、超高密度（ｕｌｔｒａ−ｄｅｎｓｅ）ネットワーク、Ｄ２Ｄ（ｄｅｖｉｃｅ−ｔｏ−ｄｅｖｉｃｅ）通信、無線バックホール（ｂａｃｋｈａｕｌ）、ムービングネットワーク、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、受信端干渉除去などに基づき、システムネットワーク改善のための開発が進行中である。５Ｇシステムにおいて、ハイブリッドＦＳＫ（ｆｒｅｑｕｅｎｃｙ  ｓｈｉｆｔ  ｋｅｙｉｎｇ）、ＦＱＡＭ（Ｆｅｈｅｒ’ｓ  ｑｕａｄｒａｔｕｒｅ  ａｍｐｌｉｔｕｄｅ  ｍｏｄｕｌａｔｉｏｎ）、及びＳＷＳＣ（ｓｌｉｄｉｎｇ  ｗｉｎｄｏｗ  ｓｕｐｅｒｐｏｓｉｔｉｏｎ  ｃｏｄｉｎｇ）がＡＣＭ（ａｄｖａｎｃｅｄ  ｃｏｄｉｎｇ  ｍｏｄｕｌａｔｉｏｎ）として開発され、ＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）が高度アクセス技術として開発された。
【０００３】
人が情報を生成して消費する人間中心連結性ネットワークであるインターネットは、現在、事物のような分散型エンティティが人の介入なしに情報を交換してプロセッシングする事物インターネット（ＩｏＴ：ｉｎｔｅｒｎｅｔ  ｏｆ  ｔｈｉｎｇｓ）に進化している。クラウドサーバとの連結を介するＩｏＴ技術とビッグデータプロセッシング技術との組み合わせである万物インターネット（ＩｏＥ：ｉｎｔｅｒｎｅｔ  ｏｆ  ｅｖｅｒｙｔｈｉｎｇ）が出現した。「感知技術」、「有線／無線通信及びネットワークインフラストラクチャ」、「サービスインターフェース技術」、及び「セキュリティ技術」のような技術要素が、ＩｏＴ具現のために要求されることにより、センサネットワーク、Ｍ２Ｍ（ｍａｃｈｉｎｅ−ｔｏ−ｍａｃｈｉｎｅ）通信、ＭＴＣ（ｍａｃｈｉｎｅ  ｔｙｐｅ  ｃｏｍｍｕｎｉｃａｔｉｏｎ）などが最近研究されている。そのようなＩｏＴ環境は、連結された事物間に生成されるデータを収集して分析することにより、人間生活に新たな価値を新規創出する知能型インターネット技術サービスを提供する。ＩｏＴは、現存の情報技術（ＩＴ：ｉｎｆｏｒｍａｔｉｏｎ  ｔｅｃｈｎｏｌｏｇｙ）と多様な産業的応用との収斂及び組み合わせを介して、スマートホーム、スマートビルディング、スマートシティ、スマート自動車又は連結型自動車、スマートグリッド、ヘルスケア、スマート家電機器、及び次世代医療サービスを含む多様な分野に適用される。
【０００４】
それに合わせて、５Ｇ通信システムをＩｏＴネットワークに適用する多様な試みがなされている。例えば、センサネットワーク、ＭＴＣ、及びＭ２Ｍ通信のような技術がビームフォーミング、ＭＩＭＯ、及びアレイアンテナによって具現される。クラウドＲＡＮの上述のビッグデータプロセッシング技術としての応用は、５Ｇ技術とＩｏＴ技術との収斂の一例として見なされる。
【０００５】
上述のように、多様なサービスは、無線通信システムの発展によって提供され、従って、そのようなサービスを手軽に提供する方法が要求される。
【０００６】
免許不要スペクトルの場合、ネットワークは、チャネルがＤＬ−ＳＣＨ（ｄｏｗｎｌｉｎｋ  ｓｈａｒｅｄ  ｃｈａｎｎｅｌ）送信のために使用可能であるか否かを判定することが必要である。チャネルがＳＩ（ｓｙｓｔｅｍ  ｉｎｆｏｒｍａｔｉｏｎ）メッセージのＳＩウィンドウ機会（ｏｃｃａｓｉｏｎ）に使用可能でない場合、ネットワークは、ＳＩウィンドウでＳＩメッセージを送信することができない。様々なＳＩウィンドウにおける送信失敗は、初期アクセスを遅延させてしまう。それにより、遅延を減らす方法が必要である。
【０００７】
一方、免許不要スペクトルの場合、多数の通信会社が自体所有のネットワークを免許不要帯域で展開することができる。それは、キャリア上に異なるＰＬＭＮ（ｐｕｂｌｉｃ  ｌａｎｄ  ｍｏｂｉｌｅ  ｎｅｔｗｏｒｋ）に属する多数のセルがあることを意味する。その結果、最も強いセルがユーザ装置（ＵＥ：ｕｓｅｒ  ｅｑｕｉｐｍｅｎｔ）の登録済み又はそれと同等のＰＬＭＮに常時属しているとは限らない。それは、ＵＥがセル（再）選択、連結モード移動性のために、キャリア上の更なるセルのシステム情報を探索して判読することを要求するためである。
【発明の概要】
【発明が解決しようとする課題】
【０００８】
本発明は、上記従来の問題点に鑑みてなされたものであって、本発明の目的は、免許不要帯域（ｕｎｌｉｃｅｎｓｅｄ  ｂａｎｄ）で通信を行う方法及びその装置を提供することにある。
【課題を解決するための手段】
【０００９】
上記目的を達成するためになされた本発明の一態様によるユーザ装置（ＵＥ：ｕｓｅｒ  ｅｑｕｉｐｍｅｎｔ）により免許不要帯域で通信を行う方法は、基地局（ＢＳ：ｂａｓｅ  ｓｔａｔｉｏｎ）からシステム情報（ＳＩ：ｓｙｓｔｅｍ  ｉｎｆｏｒｍａｔｉｏｎ）スケジューリング情報を受信する段階と、前記ＳＩスケジューリング情報に基づき、ＳＩメッセージに対する一次ＳＩウィンドウ番号又は二次ＳＩウィンドウ番号のうちの少なくとも一つを識別する段階と、前記一次ＳＩウィンドウ番号に対応する少なくとも１つのウィンドウをモニタリングする段階と、前記ＳＩメッセージが受信されないことに応答して、前記二次ＳＩウィンドウ番号に対応する少なくとも１つのウィンドウをモニタリングする段階と、を有する。
【００１０】
以下の詳細な説明の前に、次のように、本明細書の全体に亘って使用される特定の単語及び語句の定義を提示することが役に立つであろう：「具備する」及び「含む」という用語とその派生語は、制限のない包含を意味し、「又は」という用語は包括的であり、「及び／又は」を意味し、「に関連する」及び「と関連する」という文言だけではなく、その派生語は、「〜を具備する、〜内に具備される、〜と相互連結される、〜を含む、〜内に含まれる、〜に／〜と連結される、〜に／〜とカップリングされる、〜と通信可能である、〜と協力する、〜を介在させる、〜を併置する、〜に近接する、〜に／〜とバインディングされる、〜を有する、〜の性質を有する」という意味であり、「制御器」という用語は、少なくとも１つの動作を制御する任意のデバイス、システム、又はその部分を意味し、そのようなデバイスは、ハードウェア、ファームウェア若しくはソフトウェア、又はそれらと同一のもののうちの少なくとも２つの一部の組み合わせによって具現される。任意の特定制御器に関連する機能は、局所的又は遠隔によって、集中型又は分散型でもあることに留意しなければならない。
【００１１】
更に、以下で説明する多様な機能は、１以上のコンピュータプログラムによって具現又は支援され、そのようなコンピュータプログラムのそれぞれは、コンピュータ読み取り可能なプログラムコードで形成されてコンピュータ読み取り可能な記録媒体に収録される。「アプリケーション」及び「プログラム」という用語は、適するコンピュータで読み取り可能なプログラムコードにおける具現に適する１以上のコンピュータプログラム、ソフトウェアコンポーネント、命令セット、プロシージャ、関数、客体（ｏｂｊｅｃｔ）、クラス、インスタンス、関連データ、又はその部分を称する。「コンピュータ読み取り可能なプログラムコード」という文言は、ソースコード、目的コード、及び実行可能なコードを含む任意の類型のコンピュータコードを含む。「コンピュータ読み取り可能な記録媒体」という文言は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスクドライブ、ＣＤ（ｃｏｍｐａｃｔ  ｄｉｓｃ）、ＤＶＤ（ｄｉｇｉｔａｌ  ｖｅｒｓａｔｉｌｅ  ｄｉｓｃ）、又は任意の他類型のメモリのようなコンピュータによってアクセスされる任意の類型の記録媒体を含む。「非一時的」コンピュータ読み取り可能な記録媒体は、一時的な電気的信号、又は他の信号を伝送する有線、無線、光学的、又は他の通信リンクを除外する。非一時的なコンピュータ読み取り可能な記録媒体は、データが永久に保存される記録媒体、及びデータが保存されて後で上書きされる記録媒体、即ち再書き込み可能な光ディスク、又は消去可能なメモリデバイスを含む。
【００１２】
特定の単語及び語句に関する定義が本明細書全体に亘って提供され、本技術分野の通常の技術者は、殆どではないにしても、多くの場合、そのような定義がそのように定義された単語及び文言の前及び将来の使用に適用されることを理解しなければならない。
【図面の簡単な説明】
【００１３】
本発明及びその長所の更なる完全な理解のために、図面と併せて以下の説明を参照する。ここで、類似の参照符号は類似部分を示す。
【００１４】
【図１】少なくとも１つのＳＩウィンドウ内のＳＩメッセージ送信を示す図である。
【図２】免許不要スペクトルにおける少なくとも１つのＳＩウィンドウ内のＳＩメッセージ送信を示す図である。
【図３】本発明の一実施形態による免許不要スペクトルにおける多数のＳＩウィンドウにマッピングされたＳＩメッセージを送信する方法を示す図である。
【図４】本発明の一実施形態によるＳＩメッセージのためのＵＥモニタリング手続きを示すフローチャートである。
【図５】本発明の一実施形態によるＳＩメッセージのためのＵＥモニタリング手続きを示すフローチャートである。
【図６】本発明の一実施形態によるＣｏｒｅｓｅｔ情報に基づき同一ＳＩウィンドウにマッピングされた２つのＳＩメッセージを識別する方法を示す図である。
【図７】本発明の一実施形態によるＢＷＰ（ｂａｎｄｗｉｄｔｈ  ｐａｒｔ）情報に基づき同一ＳＩウィンドウにマッピングされた２つのＳＩメッセージを識別する方法を示す図である。
【図８Ａ】本発明の一実施形態による他のセルのＰＬＭＮ情報を獲得する方法を示すフローチャートである。
【図８Ｂ】本発明の他の実施形態による他のセルのＰＬＭＮ情報を獲得する方法を示すフローチャートである。
【図９Ａ】本発明の他の実施形態による他のセルのＰＬＭＮ情報を獲得する方法を示すフローチャートである。
【図９Ｂ】本発明の他の実施形態による他のセルのＰＬＭＮ情報を獲得する方法を示すフローチャートである。
【図１０】免許キャリアに対するＰＬＭＮ選択のためのＰＬＭＮリストを準備する例を示す図である。
【図１１】本発明の一実施形態によるＵＥを示す図である。
【図１２】本発明の一実施形態による基地局を示す図である。
【発明を実施するための形態】
【００１５】
〔最良の形態〕
【００１６】
本発明は、免許不要帯域（ｕｎｌｉｃｅｎｓｅｄ  ｂａｎｄ）で通信を行う方法及びその装置を提供する。
【００１７】
上述の目的を達成するために、本発明は、次の技術的解法を採択する：ユーザ装置（ＵＥ：ｕｓｅｒ  ｅｑｕｉｐｍｅｎｔ）により免許不要帯域で通信を行う方法は、基地局（ＢＳ：ｂａｓｅ  ｓｔａｔｉｏｎ）からシステム情報（ＳＩ：ｓｙｓｔｅｍ  ｉｎｆｏｒｍａｔｉｏｎ）スケジューリング情報を受信する段階と、ＳＩスケジューリング情報に基づき、ＳＩメッセージに対する一次ＳＩウィンドウ番号又は二次ＳＩウィンドウ番号のうちの少なくとも一つを識別する段階と、一次ＳＩウィンドウ番号に対応する少なくとも１つのウィンドウをモニタリングする段階と、ＳＩメッセージが受信されないことに応答して、二次ＳＩウィンドウ番号に対応する少なくとも１つのウィンドウをモニタリングする段階と、を有する。
【００１８】
望ましくは、その方法は、ＳＩメッセージの二次ＳＩウィンドウ番号が他のＳＩメッセージの一次ＳＩウィンドウ番号に該当するか否かを識別する段階を更に含み、ＳＩメッセージの二次ＳＩウィンドウ番号が他のＳＩメッセージの一次ＳＩウィンドウ番号と異なることに応答して、二次ＳＩウィンドウ番号に対応する少なくとも１つのウィンドウがモニタリングされ得る。
望ましくは、その方法は、基地局のＳＩメッセージに対する制御リソースセット（ＣＯＲＥＳＥＴ：ｃｏｎｔｒｏｌ  ｒｅｓｏｕｒｃｅ  ｓｅｔ）情報又はＢＷＰ（ｂａｎｄｗｉｄｔｈ  ｐａｒｔ）情報を獲得する段階と、ＣＯＲＥＳＥＴ情報又はＢＷＰ情報に基づき、同一ＳＩウィンドウで送信されるＳＩメッセージを識別する段階と、を更に含み得る。
望ましくは、その方法は、特定免許不要キャリア周波数で検出されたセルのＳＩを受信する段階と、受信されたＳＩに基づき、セルの公共陸上移動ネットワーク識別子（ＰＬＭＮ  ＩＤ：ｐｕｂｌｉｃ  ｌａｎｄ  ｍｏｂｉｌｅ  ｎｅｔｗｏｒｋ  ｉｄｅｎｔｉｆｉｅｒ）が端末に対する所望するＰＬＭＮ  ＩＤに該当するか否かを識別する段階と、セルのＰＬＭＮ  ＩＤが所望するＰＬＭＮ  ＩＤに該当しない場合、ＳＩに含まれる他のＰＬＭＮ情報に基づき、特定免許不要キャリア周波数で他のセルを探索するか否かを判定する段階と、を更に含み得る。
【００１９】
基地局により免許不要帯域で通信を行う方法は、システム情報（ＳＩ）メッセージに対する一次ＳＩウィンドウ番号及び二次ＳＩウィンドウ番号を獲得する段階と、一次ＳＩウィンドウ番号及び二次ＳＩウィンドウ番号を含むＳＩスケジューリング情報を送信する段階と、ウィンドウが使用されていない場合、一次ＳＩウィンドウ番号又は二次ＳＩウィンドウ番号に対応するウィンドウでＳＩメッセージを送信する段階と、を有する。
【００２０】
望ましくは、ＳＩメッセージの二次ＳＩウィンドウ番号が他のＳＩメッセージの一次ＳＩウィンドウ番号と異なることに応答して、二次ＳＩウィンドウ番号に対応する少なくとも１つのウィンドウがユーザ装置（ＵＥ）でモニタリングされ得る。
望ましくは、その方法は、基地局のＳＩメッセージに対する制御リソースセット（ＣＯＲＥＳＥＴ）情報又はＢＷＰ（ｂａｎｄｗｉｄｔｈ  ｐａｒｔ）情報を送信する段階を更に含み得る。
望ましくは、ＳＩメッセージは、セルの公共陸上移動ネットワーク識別子（ＰＬＭＮ  ＩＤ）と、特定免許不要キャリア周波数上の他のセルの少なくとも１つのＰＬＭＮ  ＩＤに関する情報と、を含み得る。
【００２１】
免許不要帯域で通信を行うユーザ装置（ＵＥ）は、トランシーバと、トランシーバに連結されるプロセッサと、を備え、プロセッサは、基地局からシステム情報（ＳＩ）スケジューリング情報を受信するようにトランシーバを制御し、ＳＩスケジューリング情報に基づき、ＳＩメッセージに対する一次ＳＩウィンドウ番号又は二次ＳＩウィンドウ番号のうちの少なくとも一つを識別し、一次ＳＩウィンドウ番号に対応する少なくとも１つのウィンドウをモニタリングし、ＳＩメッセージが受信されないことに応答して、二次ＳＩウィンドウ番号に対応する少なくとも１つのウィンドウをモニタリングするように構成される。
【００２２】
免許不要帯域で通信を行う基地局は、トランシーバと、トランシーバに連結されるプロセッサと、を備え、プロセッサは、システム情報（ＳＩ）メッセージに対する一次ＳＩウィンドウ番号及び二次ＳＩウィンドウ番号を獲得し、一次ＳＩウィンドウ番号及び二次ＳＩウィンドウ番号を含むＳＩスケジューリング情報を送信するようにトランシーバを制御し、ウィンドウが使用されていない場合、一次ＳＩウィンドウ番号又は二次ＳＩウィンドウ番号に対応するウィンドウでＳＩメッセージを送信するようにトランシーバを制御するように構成される。
【００２３】
〔発明の実施形態〕
【００２４】
以下で論議する図１〜図１２及び本明細書において、本発明の原理の説明に使用される多様な実施形態は、例示であり、本発明の範囲をいかようにも制限するものであると解釈されるものではない。本技術分野の当業者であるならば、本発明の原理が任意の適切に配置されたシステム又はデバイスによって具現されることを理解するであろう。
【００２５】
本明細書は、免許不要帯域で通信を行う方法及びその装置を提供する。
【００２６】
上述の目的を達成するために、本明細書は、次の技術的解法を採択する：ＵＥにより免許不要帯域上で通信を行う方法は、基地局からＳＩスケジューリング情報を受信する段階と、ＳＩスケジューリング情報に基づき、ＳＩメッセージに対する一次ＳＩウィンドウ番号又は二次ＳＩウィンドウ番号のうちの少なくとも一つを識別する段階と、一次ＳＩウィンドウ番号に対応する少なくとも１つのウィンドウをモニタリングする段階と、ＳＩメッセージが受信されないことに応答して、二次ＳＩウィンドウ番号に対応する少なくとも１つのウィンドウをモニタリングする段階と、を有する。
【００２７】
望ましくは、その方法は、ＳＩメッセージの二次ＳＩウィンドウ番号が他のＳＩメッセージの一次ＳＩウィンドウ番号に該当するか否かを識別する段階を更に含み、ＳＩメッセージの二次ＳＩウィンドウ番号が他のＳＩメッセージの一次ＳＩウィンドウ番号と異なることに応答して、二次ＳＩウィンドウ番号に対応する少なくとも１つのウィンドウがモニタリングされ得る。
望ましくは、その方法は、基地局のＳＩメッセージに対するＣＯＲＥＳＥＴ情報又はＢＷＰ情報を獲得する段階と、ＣＯＲＥＳＥＴ情報又はＢＷＰ情報に基づき、同一ＳＩウィンドウで送信されるＳＩメッセージを識別する段階と、を更に含み得る。
望ましくは、その方法は、少なくとも１つのウィンドウのモニタリングに基づき、特定免許不要キャリア周波数で検出されたセルのＳＩメッセージを受信する段階と、受信されたＳＩメッセージに基づき、セルのＰＬＭＮ  ＩＤが端末に対する所望するＰＬＭＮ  ＩＤに該当するか否かを識別する段階と、セルのＰＬＭＮ  ＩＤが所望するＰＬＭＮ  ＩＤに該当しない場合、ＳＩメッセージに含まれる他のＰＬＭＮ情報に基づき、特定免許不要キャリア周波数で他のセルを検出するか否かを判定する段階と、を更に含み得る。
【００２８】
基地局により免許不要帯域で通信を行う方法は、ＳＩメッセージに対する一次ＳＩウィンドウ番号及び二次ＳＩウィンドウ番号を獲得する段階と、一次ＳＩウィンドウ番号及び二次ＳＩウィンドウ番号を含むＳＩスケジューリング情報を送信する段階と、ウィンドウが使用されていない場合、一次ＳＩウィンドウ番号又は二次ＳＩウィンドウ番号に対応するウィンドウでＳＩメッセージを送信する段階と、を有する。
【００２９】
望ましくは、ＳＩメッセージの二次ＳＩウィンドウ番号が他のＳＩメッセージの一次ＳＩウィンドウ番号と異なることに応答して、二次ＳＩウィンドウ番号に対応する少なくとも１つのウィンドウがＵＥでモニタリングされ得る。
望ましくは、その方法は、基地局のＳＩメッセージに対するＣＯＲＥＳＥＴ情報又はＢＷＰ情報を送信する段階を更に含み得る。
望ましくは、ＳＩメッセージは、セルのＰＬＭＮ  ＩＤと、特定免許不要キャリア周波数上の他のセルの少なくとも１つのＰＬＭＮ  ＩＤに関する情報と、を含み得る。
【００３０】
免許不要帯域で通信を行うＵＥは、トランシーバと、トランシーバに連結されるプロセッサと、を備え、プロセッサは、基地局からＳＩスケジューリング情報を受信するようにトランシーバを制御し、ＳＩスケジューリング情報に基づき、ＳＩメッセージに対する一次ＳＩウィンドウ番号又は二次ＳＩウィンドウ番号のうちの少なくとも一つを識別し、一次ＳＩウィンドウ番号に対応する少なくとも１つのウィンドウをモニタリングし、ＳＩメッセージが受信されないことに応答して、二次ＳＩウィンドウ番号に対応する少なくとも１つのウィンドウをモニタリングするように構成される。
【００３１】
免許不要帯域で通信を行う基地局は、トランシーバと、トランシーバに連結されるプロセッサと、を備え、プロセッサは、ＳＩメッセージに対する一次ＳＩウィンドウ番号及び二次ＳＩウィンドウ番号を獲得し、一次ＳＩウィンドウ番号及び二次ＳＩウィンドウ番号を含むＳＩスケジューリング情報を送信するようにトランシーバを制御し、ウィンドウが使用されていない場合、一次ＳＩウィンドウ番号又は二次ＳＩウィンドウ番号に対応するウィンドウでＳＩメッセージを送信するようにトランシーバを制御するように構成される。
【００３２】
本明細書の全体に亘り、「ａ、ｂ、又はｃのうち少なくとも一つ」という表現は、ａだけ、ｂだけ、ｃだけ、ａ及びｂの二つとも、ａ及びｃの二つとも、ｂ及びｃの二つとも、ａ、ｂ、及びｃのいずれも、又はその変形を示す。本明細書の全体に亘り、階層（又は、階層装置）がエンティティと称される。以後、本開示物の動作原理を、図面を参照して詳細に説明する。次の説明において、広く公知された機能又は構成は、詳細に説明しないが、それらの詳細な説明が必要以上に本発明を曖昧にするからである。本明細書で使用される用語は、本発明で使用される機能を考慮して定義され、ユーザ又は運営者の意図によるか、又は頻繁に使用される方法により変更される。従って、その用語の定義は、本明細書の全体説明に基づいて理解される。
【００３３】
同一の理由により、図面において、一部のエレメントは、誇張されるか、省略されるかし、又は大略的に例示される。また、それぞれのエレメントのサイズは、それぞれのエレメントの実際のサイズに正確に対応するものではない。それぞれの図面において、同一であるか、或いは対応するエレメントは、同一参照番号によって表現される。
【００３４】
本発明の長所及び特徴、並びにそれらを達成するための方法は、本発明の実施形態及び図面を参照する以下の詳細な説明を参照すると、更に容易に理解されるであろう。しかし、本発明は、多くの異なる形態によっても実施され、本発明で言及する実施形態に制限されるものであると解釈されるものではなく、本発明のそれらの実施形態は、本発明が徹底したものであり且つ完全なものになるように提供され、当該技術分野の当業者に本発明の概念を完全に伝達するものである。それゆえに、本発明の範囲は、特許請求の範囲によって限定される。本明細書の全体に亘り、類似の参照符号は、類似のエレメントを指す。フローチャート、又はフローチャートの組み合わせにおける各段階は、コンピュータプログラム命令によって遂行されることが理解されるであろう。コンピュータプログラム命令が汎用コンピュータのプロセッサ、専用コンピュータ、又は他のプログラム可能データプロセッシング装置にローディングされるために、コンピュータのプロセッサ又は他のプログラム可能データプロセッシング装置によって遂行される命令は、フローチャートブロックで説明される機能を遂行するユニットを生成する。
【００３５】
コンピュータプログラム命令は、コンピュータ又は他のプログラム可能データプロセッシング装置に特定方式で機能を具現するように指示するコンピュータ使用可能又はコンピュータ読み取り可能なメモリに保存され、従ってコンピュータ使用可能又はコンピュータ読み取り可能なメモリに保存された命令は、フローチャートブロックで説明される機能を遂行するための命令ユニットを含む製造されたアイテムを更に生成する。コンピュータプログラム命令は、コンピュータ又は他のプログラム可能データプロセッシング装置に更にローディングされ、従って一連の動作がコンピュータ又は他のプログラム可能データプロセッシング装置で遂行される際に、コンピュータ実行プロセスを生成することによりコンピュータ又は他のプログラム可能データプロセッシング装置を動作させるための命令は、フローチャートブロックで説明される機能を遂行するための動作を提供する。
【００３６】
また、それぞれのブロックは、特定された論理的機能を実行するための１以上の実行可能命令を含むモジュールの部分、セグメント、又はコードを示す。一代案的具現例において、ブロックと言及される機能は、非順次的に起こりうるという点に更に留意する。例えば、２つの連続したブロックは、それらに対応する機能に依存し、同時又は逆順に実行される。
【００３７】
本明細書で使用するように、「ユニット」という用語は、ソフトウェアエレメント又はハードウェアエレメント、即ちフィールドプログラマブルゲートアレイ（ＦＰＧＡ：ｆｉｅｌｄ−ｐｒｏｇｒａｍｍａｂｌｅ  ｇａｔｅ  ａｒｒａｙ）又は注文型集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）を示し、特定の機能を遂行する。しかし、「ユニット」という用語は、ソフトウェア又はハードウェアに制限されるものではない。「ユニット」は、アドレス可能記録媒体中にあるように形成されるか、或いは１以上のプロセッサを動作させるように形成される。従って、例えば「ユニット」という用語は、エレメント（例えば、ソフトウェアエレメント、客体志向ソフトウェアエレメント、クラスエレメント、及びタスクエレメント）、プロセス、関数、属性、手続き、サブルーチン、プログラムコードのセグメント、ドライバ、ファームウェア、マイクロコード、回路、データ、データベース、データ構造、テーブル、アレイ、又は変数を含む。
【００３８】
エレメント及び「ユニット」によって提供される機能は、更に少数のエレメント及び「ユニット」に結合されるか、又は更なるエレメント及び「ユニット」に分けられる。更に、エレメント及び「ユニット」は、デバイス又はセキュリティマルチメディアカードにおける１以上の中央プロセッシングユニット（ＣＰＵ：ｃｅｎｔｒａｌ  ｐｒｏｃｅｓｓｉｎｇ  ｕｎｉｔ）を再現するように実施される。また、本発明の一実施形態において、「ユニット」は、少なくとも１つのプロセッサを含む。本発明の以下の説明において、広く公知された機能又は構成は、詳細に説明しないが、それが必要以上に詳細になって本発明を曖昧にするためである。
【００３９】
以後、説明の便宜のために、本明細書は、第３世代パートナーシッププロジェクト（３ｒｄ生成ｐａｒｔｎｅｒｓｈｉｐプロジェクト）ＬＴＥ（ｌｏｎｇ  ｔｅｒｍ  ｅｖｏｌｕｔｉｏｎ）（３ＧＰＰ  ＬＴＥ）標準で定義された用語及び名称を使用する。しかし、本発明は、その用語及び名称に制限されるものではなく、他の標準によるシステムにも適用され得る。
【００４０】
本明細書において、進化型ノードＢ（ｅＮＢ）が説明の便宜のために次世代ノードＢ（ｇＮＢ）と交換的に使用される。即ち、ｅＮＢによって説明される基地局（ＢＳ：ｂａｓｅ  ｓｔａｔｉｏｎ）がｇＮＢを示す。以下の説明において、「基地局」という用語は、リソースをユーザ装置（ＵＥ）に割り当てるためのエンティティを指し、ｇＮｏｄｅＢ、ｅＮｏｄｅＢ、ノードＢ、基地局（ＢＳ）、無線アクセスユニット、基地局制御器（ＢＳＣ）、又はネットワーク上のノードのうちの少なくとも一つと交換的に使用される。「端末」という用語は、通信機能を遂行するユーザ装置（ＵＥ）、移動局（ＭＳ：ｍｏｂｉｌｅ  ｓｔａｔｉｏｎ）、セルラフォン、スマートフォン、コンピュータ、又はマルチメディアシステムと交換的に使用される。しかし、本発明は、上述の例に制限されるものではない。特に、本発明は、３ＧＰＰ新無線（ＮＲ：ｎｅｗ  ｒａｄｉｏ）（又は、５世代（５Ｇ））モバイル通信標準に適用可能である。以下の説明において、ｅＮＢという用語は、説明の便宜のために、ｇＮＢと交換的に使用される。即ち、ｅＮＢとして説明される基地局がｇＮＢを更に示す。ＵＥという用語は、モバイルフォン、ＮＢ−ＩｏＴデバイス、センサ、及び他の無線通信デバイスを更に示す。
【００４１】
本発明の一実施形態によると、多数のＳＩウィンドウにマッピングされるＳＩメッセージを獲得する方法が提供される。本発明の一実施形態によると、同一ウィンドウで送信された複数のＳＩメッセージを識別する方法が提供される。本発明の一実施形態によると、ＳＩ取得プロセスを最小化されるためのＰＬＭＮ情報に基づくセル識別方法が提供される。本発明の一実施形態によると、ＮＡＳに報告するためのＰＬＭＮ選択方法が提供される。
【００４２】
以下、本発明の実施形態について、図面を参照して詳細に説明する。
【００４３】
図１は、少なくとも１つのＳＩウィンドウ内のＳＩメッセージ送信を示す図である。
【００４４】
第５世代（又は、ＮＲ又は新無線とも称される）無線通信システムにおいて、ＳＩＢ（ｓｙｓｔｅｍ  ｉｎｆｏｒｍａｔｉｏｎ  ｂｌｏｃｋ）１以外のＳＩＢがＤＬ−ＳＣＨ（ｄｏｗｎｌｉｎｋ  ｓｈａｒｅｄ  ｃｈａｎｎｅｌ）上で送信されるＳＩメッセージで伝送される。同一周期性を有するＳＩＢのみが、同一ＳＩメッセージにマッピングされる。それぞれのＳＩメッセージは、周期的に生じる時間ドメインウィンドウ（全てのＳＩメッセージに対する同一長を有するＳＩウィンドウとも称される）内で送信される。それぞれのＳＩメッセージはＳＩウィンドウに関連し、異なるＳＩメッセージのＳＩウィンドウは重畳されない。即ち、１つのＳＩウィンドウ内では、対応するＳＩメッセージのみが送信される。ＳＩウィンドウで、ＵＥは、ＳＩメッセージ受信のために構成されるＰＤＣＣＨ（ｐｈｙｓｉｃａｌ  ｄｏｗｎｌｉｎｋ  ｃｏｎｔｒｏｌ  ｃｈａｎｎｅｌ）モニタリング機会（ｏｃｃａｓｉｏｎ）（即ち、シンボル数／スロット）をモニタリングする。ＳＩメッセージ取得のために、ＰＤＣＣＨモニタリング機会がｏｓｉ−ｓｅａｒｃｈＳｐａｃｅによって決定される。ｏｓｉ−ｓｅａｒｃｈＳｐａｃｅが０に設定された場合（又は、デフォルト関連とも称される）、ＳＩウィンドウにおけるＳＩメッセージ受信のためのＰＤＣＣＨモニタリング機会は、ＳＩＢ１に対するＰＤＣＣＨモニタリング機会と同一である。ｏｓｉ−ｓｅａｒｃｈＳｐａｃｅが０に設定されない場合（又は、非デフォルト関連とも称される）、ＳＩメッセージに対するＰＤＣＣＨモニタリング機会は、ｏｓｉ−ｓｅａｒｃｈＳｐａｃｅによって指示された探索空間に基づいて決定される。周波数ドメインにおいて、ＳＩメッセージ受信のための帯域幅（又は、ｃｏｒｅｓｅｔ）は初期ＤＬ  ＢＷＰである。
【００４５】
ＮＲにおいて、ＳＩウィンドウ（同一長のそれぞれ）のクラスタが（全てのＳＩ期間のうちの最小ＳＩ期間に）周期的に生じる。例えば、図１は、ＳＩメッセージ１が８０ｍｓのＳＩ周期を有し、ＳＩメッセージ２が１６０ｍｓのＳＩ周期を有し、ＳＩメッセージ３が２４０ｍｓのＳＩ周期を有する３個のＳＩメッセージ（ＳＩＢ１のｓｉ−ＳｃｈｅｄｕｌｉｎｇＩｎｆｏのＳｃｈｅｄｕｌｉｎｇＩｎｆｏＬｉｓｔは、３個のＳＩメッセージのリストを含む）をセルが送信する場合を示す。ＳＩメッセージ１は、ＳＩウィンドウ番号１にマッピングされる。ＳＩメッセージ２はＳＩウィンドウ番号２にマッピングされ、ＳＩメッセージ３はＳＩウィンドウ番号３にマッピングされる。ＳＩメッセージの場合、ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。
【００４６】
図２は、免許不要スペクトルにおける少なくとも１つのＳＩウィンドウ内のＳＩメッセージ送信を示す図である。
【００４７】
免許不要スペクトルの場合、ネットワークは、チャネルがＤＬ−ＳＣＨ送信のために使用可能であるか否かを判定することが必要である。チャネルがＳＩメッセージのＳＩウィンドウ機会に使用可能でない場合、ネットワークは、ＳＩウィンドウでＳＩメッセージを送信することができない。様々なＳＩウィンドウにおける送信失敗は、初期アクセスを遅延させてしまう。それにより、遅延を減らす方法が必要である。
【００４８】
１．ＳＩメッセージ取得：ＳＩメッセージを多数のＳＩウィンドウにマッピング
【００４９】
ＮＲにおいて、ＳＩウィンドウ（同一長のそれぞれ）のクラスタが（全てのＳＩ期間のうちの最小ＳＩ期間に）周期的に生じる。例えば、図２は、ＳＩメッセージ１が８０ｍｓのＳＩ周期を有し、ＳＩメッセージ２が１６０ｍｓのＳＩ周期を有し、ＳＩメッセージ３が２４０ｍｓのＳＩ周期を有する３個のＳＩメッセージ（ＳＩＢ１のｓｉ−ＳｃｈｅｄｕｌｉｎｇＩｎｆｏのＳｃｈｅｄｕｌｉｎｇＩｎｆｏＬｉｓｔは、３個のＳＩメッセージのリストを含む）をセルが送信する場合を示す。それぞれのＳＩメッセージのＳＩ周期は、ｓｉ−ＳｃｈｅｄｕｌｉｎｇＩｎｆｏで明示的にシグナリングされる。ＳＩウィンドウ長は、全てのＳＩメッセージに対して共通してｓｉ−ＳｃｈｅｄｕｌｉｎｇＩｎｆｏでシグナリングされる。ＳＩメッセージの場合、ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。ＳｃｈｅｄｕｌｉｎｇＩｎｆｏＬｉｓｔにおけるＳＩメッセージ１は、ＳＩウィンドウ番号１にマッピングされる。ＳｃｈｅｄｕｌｉｎｇＩｎｆｏＬｉｓｔにおけるＳＩメッセージ２はＳＩウィンドウ番号２にマッピングされ、ＳｃｈｅｄｕｌｉｎｇＩｎｆｏＬｉｓｔにおけるＳＩメッセージ３はＳＩウィンドウ番号３にマッピングされる。
【００５０】
免許不要スペクトルの場合、ｇＮＢは、チャネルがＤＬ−ＳＣＨ送信のために使用可能であるか否かを判定することが必要である。チャネルがＳＩメッセージのＳＩウィンドウ機会に使用可能でない場合、ｇＮＢは、ＳＩウィンドウでＳＩメッセージを送信することができない。例えば、図２に示すように、チャネルがＷ１で使用可能でない場合、ｇＮＢは、ＳＩメッセージ１を送信することができない。
【００５１】
上述の問題を克服するために、本発明の一実施形態において、ＳＩメッセージが当該ＳＩメッセージのＳＩ期間に多数のＳＩウィンドウ又はＳＩウィンドウ機会（ＳＩウィンドウ番号によって識別される）にマッピングされる。以下、多数のＳＩウィンドウ又はＳＩウィンドウ機会にマッピングされるＳＩメッセージについて、図３を参照して詳細に説明する。
【００５２】
図３は、本発明の一実施形態による免許不要スペクトルにおける多数のＳＩウィンドウにマッピングされたＳＩメッセージを送信する方法を示す図である。
【００５３】
ＳＩウィンドウ又はＳＩウィンドウ機会のうちの一つ（ＳＩウィンドウ番号によって識別される）は、当該ＳＩメッセージの一次ＳＩウィンドウ機会（又は、一次ＳＩウィンドウ番号）である。一次ＳＩウィンドウ又は一次ＳＩウィンドウ機会以外のＳＩウィンドウ又はＳＩウィンドウ機会は、当該ＳＩメッセージの二次ＳＩウィンドウ又は二次ＳＩウィンドウ機会（又は、二次ウィンドウ番号）である。
【００５４】
一実施形態において、ＳＩメッセージに対する一次ＳＩウィンドウ番号及び二次ＳＩウィンドウ番号は、ＳＩＢ１のｓｉ−ＳｃｈｅｄｕｌｉｎｇＩｎｆｏでｇＮＢによってシグナリングされる。しかし、それは例示であり、ＳＩメッセージのスケジューリング情報をシグナリングする情報は、ＳＩＢ１に制限されるものではない。
【００５５】
ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されたＳＩメッセージリストにおけるエントリ順序である。ＳＩメッセージに対する二次ＳＩウィンドウ番号は、ＳＩＢ１のｓｉ−ＳｃｈｅｄｕｌｉｎｇＩｎｆｏでｇＮＢｄによってオプションとしてシグナリングされる。
【００５６】
ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されたＳＩメッセージリストにおけるエントリ順序である。それぞれのＳＩメッセージに対する他のＳＩメッセージの一次ＳＩウィンドウ番号は、二次ウィンドウ番号である。
【００５７】
方法１−１：
【００５８】
ＳＩメッセージを送信するために、ＳＩメッセージのＳＩ期間に、ｇＮＢは、多数のＳＩウィンドウのうちのＳＩメッセージがマッピングされる１つのＳＩウィンドウで送信される。チャネルがＳＩ期間にＳＩメッセージの一次ＳＩウィンドウで使用可能である場合、ｇＮＢは、一次ＳＩウィンドウでＳＩメッセージを送信する。チャネルがＳＩ期間にＳＩメッセージの二次ＳＩウィンドウで使用可能である場合、二次ＳＩウィンドウがＳＩメッセージのＳＩ期間に未使用である場合に、ｇＮＢは、ＳＩメッセージの二次ＳＩウィンドウでＳＩメッセージを送信する。二次ＳＩウィンドウは、二次ＳＩウィンドウがＳＩ期間に、任意の他のＳＩメッセージに一次ＳＩウィンドウとしてマッピングされていない場合、未使用と見なされる。代替実施形態において、二次ＳＩウィンドウは、二次ＳＩウィンドウがＳＩ期間に任意の他のＳＩメッセージを送信するのに使用されていない場合、未使用と見なされる。代替実施形態において、ＳＩメッセージの二次ＳＩウィンドウは、二次ＳＩウィンドウが他のＳＩメッセージの一次ＳＩウィンドウと同一時間に始まらない場合、未使用と見なされる。ＳＩメッセージのためのＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎはＳＩウィンドウ番号である。ＳＩメッセージの二次ＳＩウィンドウの開始が他のＳＩメッセージの二次ＳＩウィンドウの開始と同一である場合、重なるＳＩウィンドウで多数のＳＩメッセージを送信することができない場合に送信するＳＩメッセージを決定することは、ｇＮＢに掛かっている。例えば、３個のＳＩメッセージを送信するセルを考慮する。ＳＩメッセージ１は８０ｍｓのＳＩ周期を有し、ＳＩメッセージ２は１６０ｍｓのＳＩ周期を有し、ＳＩメッセージ３は２４０ｍｓのＳＩ周期を有する。ＳＩメッセージ１のための一次ＳＩウィンドウは、ＳＩウィンドウ番号１である。ＳＩメッセージ２のための一次ＳＩウィンドウはＳＩウィンドウ番号２であり、ＳＩメッセージ３のための一次ＳＩウィンドウはＳＩウィンドウ番号３である。ＳＩメッセージ１はまたＳＩウィンドウ番号２及びＳＩウィンドウ番号３にマッピングされるが、ＳＩウィンドウ番号２、３は、ＳＩメッセージ１の二次ＳＩウィンドウであり、ｇＮＢによってシグナリングされる。ＳＩメッセージ２及びＳＩメッセージ３は、１つのＳＩウィンドウにのみマッピングされる。
【００５９】
−ＳＩメッセージ２は、一次ＳＩウィンドウの間チャネルが使用可能である場合、ＳＩウィンドウでｇＮＢによって送信される。ＳＩメッセージ２のためのＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージ２のｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは、ＳＩウィンドウ番号であり、ＳＩメッセージがＳＩウィンドウ番号２にマッピングされるとき、ＳＩメッセージ２に対する２と同一であり；
【００６０】
−ＳＩメッセージ３は、一次ＳＩウィンドウの間チャネルが使用可能である場合、ＳＩウィンドウでｇＮＢによって送信される。ＳＩメッセージ３のためのＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージ３のｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは、ＳＩウィンドウ番号であり、ＳＩメッセージがＳＩウィンドウ番号３にマッピングされるとき、ＳＩメッセージ３に対する３と同一であり；
【００６１】
−ＳＩメッセージ１は、当該メッセージの一次ＳＩウィンドウの間チャネルが使用可能である場合、ＳＩウィンドウでｇＮＢによって送信される。ＳＩメッセージ１に対する一次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージ１のｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは、ＳＩウィンドウ番号であり、ＳＩメッセージが一次ＳＩウィンドウ番号１にマッピングされるとき、ＳＩメッセージ１に対する１と同一であり、ＳＩメッセージ１は、二次ＳＩウィンドウの間チャネルが使用可能である場合、そして二次ウィンドウが他のＳＩメッセージの一次ＳＩウィンドウと同一時間に始まらない場合、ＳＩウィンドウでｇＮＢによって送信される。ＳＩメッセージ１に対する二次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージ１のｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは、ＳＩウィンドウ番号であり、ＳＩメッセージが二次ＳＩウィンドウ番号２にマッピングされるとき、ＳＩメッセージ２に対する２と同一であり、ＳＩウィンドウ１又はＳＩウィンドウ２を使用したＳＩメッセージ１送信は、図３で例示される。
【００６２】
図４は、本発明の一実施形態によるＳＩメッセージのためのＵＥモニタリング手続きを示すフローチャートである。
【００６３】
段階Ｓ４１０において、ＵＥは、ＳＩスケジューリング情報を含むＳＩＢ１を受信する。ＵＥは、ＳＩメッセージに対する一次ＳＩウィンドウ番号及び二次ＳＩウィンドウ番号を決定する。一実施形態において、ＳＩメッセージに対する一次ＳＩウィンドウ番号及び二次ＳＩウィンドウ番号は、ＳＩＢ１のｓｉ−ＳｃｈｅｄｕｌｉｎｇＩｎｆｏでｇＮＢによってシグナリングされる。ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。ＳＩメッセージに対する二次ＳＩウィンドウ番号は、オプションとして、ＳＩＢ１のｓｉ−ＳｃｈｅｄｕｌｉｎｇＩｎｆｏでｇＮＢｄによってシグナリングされる。ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。それぞれのＳＩメッセージに対する他のＳＩメッセージの一次ＳＩウィンドウ番号は、二次ウィンドウ番号である。
【００６４】
関連ＳＩメッセージを取得するために、ＳＩ期間に多数のＳＩウィンドウ（一次及び二次）がある。ＵＥは、前にモニタリングされたＳＩウィンドウでＳＩメッセージをまだ受信していない場合にのみ、ＳＩ期間に後続ＳＩウィンドウをモニタリングする。段階Ｓ４２０において、ＵＥは、一次ＳＩウィンドウ番号に対応する１以上のＳＩウィンドウをモニタリングする。
【００６５】
ＵＥは、次のように、関連ＳＩメッセージのＳＩ期間に一次ウィンドウ及び二次ウィンドウを決定する：一次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、Ｔは関連ＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは関連ＳＩメッセージの一次ＳＩウィンドウ番号である。
【００６６】
二次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、Ｔは関連ＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは関連ＳＩメッセージの二次ＳＩウィンドウ番号である。
【００６７】
関連ＳＩメッセージを取得するために、ＳＩ期間に多数のＳＩウィンドウ（一次及び二次）がある。段階Ｓ４３０において、ＵＥは、二次ＳＩウィンドウ番号に対応する１以上のＳＩウィンドウをモニタリングする。ＵＥは、前にモニタリングされたＳＩウィンドウでＳＩメッセージをまだ受信していない場合にのみ、ＳＩ期間に後続ＳＩウィンドウをモニタリングする。一実施形態において、関連ＳＩメッセージのＳＩウィンドウのうちの二次ＳＩウィンドウが他のＳＩメッセージの一次ＳＩウィンドウと同一時間に始まる場合、ＵＥは、関連ＳＩメッセージの二次ＳＩウィンドウをモニタリングしない。即ち、関連ＳＩメッセージの二次ＳＩウィンドウは、二次ＳＩウィンドウがＳＩ期間に任意の他のＳＩメッセージの一次ＳＩウィンドウでない場合に、モニタリングされる。
【００６８】
方法１−２：
【００６９】
他の実施形態において、ＳＩメッセージを送信するために、ＳＩメッセージのＳＩ期間に、ｇＮＢは、多数のＳＩウィンドウのうちからＳＩメッセージがマッピングされる１つのＳＩウィンドウで送信する。チャネルがＳＩ期間にＳＩメッセージの一次ＳＩウィンドウで使用可能である場合、ｇＮＢは、一次ＳＩウィンドウでＳＩメッセージを送信する。チャネルがＳＩ期間にＳＩメッセージの二次ＳＩウィンドウで使用可能である場合、ｇＮＢは、ＳＩメッセージの二次ＳＩウィンドウでＳＩメッセージを送信する。ＳＩメッセージに対するＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、ＴはＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎはＳＩウィンドウ番号である。
【００７０】
図５は、本発明の一実施形態によるＳＩメッセージのためのＵＥモニタリング手続きを示すフローチャートである。
【００７１】
段階Ｓ５１０において、ＵＥは、ＳＩスケジューリング情報を含むＳＩＢ１を受信する。ＵＥは、ＳＩメッセージに対する一次ＳＩウィンドウ番号及び二次ＳＩウィンドウ番号を決定する。一実施形態において、ＳＩメッセージに対する一次ＳＩウィンドウ番号及び二次ＳＩウィンドウ番号は、ＳＩＢ１のｓｉ−ＳｃｈｅｄｕｌｉｎｇＩｎｆｏでｇＮＢによってシグナリングされる。ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。ＳＩメッセージに対する二次ＳＩウィンドウ番号は、オプションとして、ＳＩＢ１のｓｉ−ＳｃｈｅｄｕｌｉｎｇＩｎｆｏでｇＮＢｄによってシグナリングされる。ＳＩメッセージに対する代替実施形態において、一次ＳＩウィンドウ番号は、ＳＩＢ１のｓｉ−ＳｃｈｅｄｕｌｉｎｇＩｎｆｏのＳｃｈｅｄｕｌｉｎｇＩｎｆｏＬｉｓｔによって構成されるＳＩメッセージリストにおけるエントリ順序である。それぞれのＳＩメッセージに対する他のＳＩメッセージの一次ＳＩウィンドウ番号は、二次ウィンドウ番号である。
【００７２】
段階Ｓ５２０において、ＵＥは、一次ＳＩウィンドウ番号に対応する１以上のＳＩウィンドウをモニタリングする。段階Ｓ５３０において、ＵＥは、二次ＳＩウィンドウ番号に対応する１以上のＳＩウィンドウをモニタリングする。関連ＳＩメッセージを取得するために、ＳＩ期間に多数のＳＩウィンドウ（一次及び二次）がある。ＵＥは、前にモニタリングされたＳＩウィンドウでＳＩメッセージをまだ受信していない場合にのみ、ＳＩ期間に後続ＳＩウィンドウをモニタリングする。ＵＥは、次のように、関連ＳＩメッセージのＳＩ期間に一次ウィンドウ及び二次ウィンドウを決定する：一次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、Ｔは関連ＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは関連ＳＩメッセージの一次ＳＩウィンドウ番号である。二次ＳＩウィンドウは、無線フレームにおいて、ａ＝ｘ  ｍｏｄ  Ｎであるスロット＃ａで始まり、その無線フレームの場合、ＳＦＮ  ｍｏｄ  Ｔ＝ＦＬＯＯＲ（ｘ／Ｎ）であり、ここで、Ｔは関連ＳＩメッセージのｓｉ−Ｐｅｒｉｏｄｉｃｉｔｙであり、Ｎは無線フレームにおけるスロット数であり、ｘ＝（ｎ−１）＊ｗであり、ここで、ｗはｓｉ−ＷｉｎｄｏｗＬｅｎｇｔｈであり、ｎは関連ＳＩメッセージの二次ＳＩウィンドウ番号である。
【００７３】
２．ＳＩメッセージ取得：同一ＳＩウィンドウで送信／受信されたＳＩメッセージの区別
【００７４】
それぞれのＳＩメッセージは、周期的に生じる時間ドメインＳＩウィンドウ内で送信される。多数のＳＩメッセージが同一ＳＩウィンドウにマッピングされる。更に、大サイズであり多数のＳＩメッセージにマッピングされるＳＩウィンドウは、１つのＳＩメッセージにマッピングされる多数の小サイズになったＳＩウィンドウを有するよりも、チャネル可用性取り扱いにおいて更に柔軟である。同一ＳＩウィンドウで多数のＳＩメッセージを送信／受信する際の１つの問題は、多数のＳＩメッセージが同一ＳＩウィンドウにマッピングされる場合、同一ＳＩウィンドウで送信されるＳＩメッセージをＵＥがいかに区別することができるかである。
【００７５】
方法２−１：
【００７６】
図６は、本発明の一実施形態によるＣｏｒｅｓｅｔ情報に基づき同一ＳＩウィンドウにマッピングされた２つのＳＩメッセージを識別する方法を示す図である。
【００７７】
この方法において、ｇＮＢは、ＳＩメッセージに対するｃｏｒｅｓｅｔリスト（それぞれのｃｏｒｅｓｅｔは、ｉｄを有する）をシグナリングする。ｃｏｒｅｓｅｔは、周波数リソース（ＰＲＢ）のセットである。同一ＳＩウィンドウにマッピングされたＳＩメッセージは、異なるｃｏｒｅｓｅｔにもマッピングされる。一実施形態において、ｇＮＢは、それぞれのＳＩメッセージに対して使用されるｃｏｒｅｓｅｔ（即ち、ｃｏｒｅｓｅｔ  ｉｄ）を明示的に指示する。ＵＥは、関連ＳＩメッセージに対応するｃｏｒｅｓｅｔで関連ＳＩメッセージを受信するためにＰＤＣＣＨをモニタリングする。多数のＳＩメッセージが同一ＳＩウィンドウにマッピングされ、ＵＥがＳＩメッセージのうちの多数を取得することを希望する場合、ＵＥは、ＵＥがＳＩメッセージで取得する所望するそれぞれのＳＩメッセージに対応する多数のｃｏｒｅｓｅｔでＰＤＣＣＨをモニタリングする。図６を参照すると、ＳＩメッセージは、それぞれｃｏｒｅｓｅｔ１及びｃｏｒｅｓｅｔ２にマッピングされる。このアプローチの長所は、ＵＥが取得を所望しないＳＩメッセージに対応するＰＤＣＣＨ及びＴＢの不要なデコーディングをＵＥが回避することができるということである。ＵＥは、取得を所望しないＳＩメッセージに対するｃｏｒｅｓｅｔをモニタリングすることを単にスキップする。
【００７８】
他の実施形態において、ＳＩメッセージのｃｏｒｅｓｅｔ  ｉｄに対するマッピングは暗示的である。同一ＳＩウィンドウにマッピングされたＳＩメッセージのうちの第Ｎ  ＳＩメッセージは、ｃｏｒｅｓｅｔリストのうちの第Ｎ  ｃｏｒｅｓｅｔを使用する。例えば、３つのＳＩメッセージがあるとする。ＳＩメッセージ１及びＳＩメッセージ３は、ＳＩウィンドウ１にマッピングされる。ＳＩメッセージ２は、ＳＩウィンドウ２にマッピングされる。ＳＩウィンドウ１の場合、ＳＩメッセージ１はｃｏｒｅｓｅｔリストで最初のｃｏｒｅｓｅｔを使用し、ＳＩメッセージ３は２番目のｃｏｒｅｓｅｔを使用する。ＳＩウィンドウ２の場合、ＳＩメッセージ２はｃｏｒｅｓｅｔリストで最初のｃｏｒｅｓｅｔを使用する。
【００７９】
方法２−２：
【００８０】
図７は、本発明の一実施形態によるＢＷＰ情報に基づき同一ＳＩウィンドウにマッピングされた２つのＳＩメッセージを識別する方法を示す図である。
【００８１】
この方法において、ｇＮＢは、ＳＩメッセージに対するＢＷＰリスト（それぞれのＢＷＰは、ｉｄを有する）をシグナリングする。同一ＳＩウィンドウにマッピングされたＳＩメッセージは、異なるＢＷＰにもマッピングされる。一実施形態において、ｇＮＢは、それぞれのＳＩメッセージに対して使用されるＢＷＰ（即ち、ＢＷＰ  ｉｄ）を明示的に指示する。ＵＥは、関連ＳＩメッセージに対応するＢＷＰで関連ＳＩメッセージを受信するためにＰＤＣＣＨをモニタリングする。図７を参照すると、ＳＩメッセージは、それぞれＢＷＰ１及びＢＷＰ２にマッピングされる。このアプローチの長所は、ＵＥが取得を所望しないＳＩメッセージに対応するＰＤＣＣＨ及びＴＢの不要なデコーディングをＵＥが回避することができるということである。ＵＥは、取得を所望しないＳＩメッセージに対するＢＷＰをモニタリングすることを単にスキップする。
【００８２】
他の実施形態において、ＳＩメッセージのＢＷＰに対するマッピングは、暗示的である。同一ＳＩウィンドウにマッピングされたＳＩメッセージのうちの第Ｎ  ＳＩメッセージは、ＢＷＰリストのうちの第Ｎ  ＢＷＰを使用する。例えば、３つのＳＩメッセージがあるとする。ＳＩメッセージ１及びＳＩメッセージ３は、ＳＩウィンドウ１にマッピングされる。ＳＩメッセージ２は、ＳＩウィンドウ２にマッピングされる。ＳＩウィンドウ１の場合、ＳＩメッセージ１はＢＷＰリストで最初のＢＷＰを使用し、ＳＩメッセージ３は２番目のＢＷＰを使用する。ＳＩウィンドウ２の場合、ＳＩメッセージ２はＢＷＰリストで最初のＢＷＰを使用する。
【００８３】
３．セル識別のためのＳＩ取得最小化
【００８４】
第５世代（又は、ＮＲ又は新無線とも称される）無線通信システムにおいて、遊休／非活性状態で、ＵＥは、与えられたキャリア上で最も強いセルを探索する。ＵＥは、適合性基準が充足された場合、キャリアの最も強いセルにキャンピングする。ＵＥは、キャリア上で最も強いセルのみのＳＩを判読する。キャリア上の全てのセルが同一ＰＬＭＮに属すると仮定される。免許不要スペクトルの場合、多数の通信会社が自体所有のネットワークを免許不要帯域で展開することができる。それは、キャリア上に異なるＰＬＭＮに属する多数のセルがあることを意味する。その結果、最も強いセルがＵＥの登録済み又はそれと同等のＰＬＭＮに常時属しているとは限らない。それは、ＵＥがセル（再）選択、連結モード移動性のために、キャリア上の更なるセルのＳＩを探索して判読することを要求するためである。特定ＰＣＩのターゲットセルへのハンドオーバーの間、ＵＥは、特定ＰＣＩの適切なターゲットセルを識別するためにＳＩＢ１を判読しなければならない。ＰＣＩは、免許不要帯域でネットワークを展開する通信会社によって再使用されることに留意する。キャリア上の様々なセルのＳＩ取得は、ＵＥのバッテリ寿命に深刻な影響を与える。
【００８５】
方法３−１：
【００８６】
本発明のこの方法において、セルは、該セルのキャリア周波数上に該セルに関連するＰＬＭＮとは異なるＰＬＭＮがあるか否かを示す指示をブロードキャストする。その指示は、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ａ及びＰＬＭＮ  Ｂとは異なるＰＬＭＮに対応する１以上のセルがＦ１上にある場合、セルＡは、指示、例えばＦＡＬＳＥ（偽）に設定されたＯｔｈｅｒＰＬＭＮＡｂｓｅｎｔ、又はＴＲＵＥ（真）に設定されたＯｔｈｅｒＰＬＭＮＰｒｅｓｅｎｔをブロードキャストする。ＰＬＭＮ  Ａ及びＰＬＭＮ  Ｂとは異なるＰＬＭＮに対応するいかなるセルもＦ１上にない場合、セルＡは、指示、例えばＴＲＵＥに設定されたＯｔｈｅｒＰＬＭＮＡｂｓｅｎｔ、又はＦＡＬＳＥに設定されたＯｔｈｅｒＰＬＭＮＰｒｅｓｅｎｔをブロードキャストする。
【００８７】
図８Ａは、本発明の一実施形態による他のセルのＰＬＭＮ情報を獲得する方法を示すフローチャートである。
【００８８】
段階Ｓ８１１において、ＵＥは、自体のＰＬＭＮ（例えば、ＰＬＭＮ  ＩＤ  Ａ）に属するセルを免許不要キャリアＦ１上で探索する。
【００８９】
段階Ｓ８１２において、ＵＥは、免許不要キャリアＦ１上でセルを検出する。
【００９０】
段階Ｓ８１３において、ＵＥは、Ｆ１上で検出されたセルＡのＳＩを取得する。取得されたＳＩに基づき、ＵＥは、セルＡが所望するＰＬＭＮ（例えば、登録されたＰＬＭＮ、又はそれと同等のＰＬＭＮ）に属するか否かを判定する。所望するＰＬＭＮのＩＤがセルに関連するＰＬＭＮのリストに存在する場合、セルＡに関連するＰＬＭＮのリストがセルＡから取得されたＳＩに含まれるセルＡは、自体が所望するＰＬＭＮに属する。
【００９１】
セルＡが、自体が所望するＰＬＭＮに属さない場合、ＵＥは、セルＡから取得されたＳＩに基づき、該免許不要キャリアＦ１上に他のＰＬＭＮのセルがあるか否かをチェックする。ＳＩは、Ｆ１上にセルＡに関連するＰＬＭＮとは異なるＰＬＭＮがあるか否かを示す指示を含む。
【００９２】
段階Ｓ８１４において、他のＰＬＭＮに属するいかなるセルもＦ１上にない場合、ＵＥは、Ｆ１上で自体のＰＬＭＮのセルを探索しない。
【００９３】
図８Ｂは、本発明の他の実施形態による他のセルのＰＬＭＮ情報を獲得する方法を示すフローチャートである。
【００９４】
段階Ｓ８２１において、ＵＥは、自体のＰＬＭＮ（例えば、ＰＬＭＮ  ＩＤ  Ａ）に属するセルを免許不要キャリアＦ１上で探索する。
【００９５】
段階Ｓ８２２において、ＵＥは、免許不要キャリアＦ１上でセルを検出する。
【００９６】
段階Ｓ８２３において、ＵＥは、Ｆ１上で検出されたセルＡのＳＩを取得する。取得されたＳＩに基づき、ＵＥは、セルＡが所望するＰＬＭＮ（例えば、登録されたＰＬＭＮ、又はそれと同等のＰＬＭＮ）に属するか否かを判定する。
【００９７】
セルＡが、自体が所望するＰＬＭＮに属さない場合、ＵＥは、セルＡから取得されたＳＩに基づき、該免許不要キャリアＦ１上に他のＰＬＭＮのセルがあるか否かをチェックする。
【００９８】
段階Ｓ８２４において、他のＰＬＭＮに属するセルがＦ１上にある場合、ＵＥは、Ｆ１上で自体のＰＬＭＮのセルを探索する。ＵＥは、この動作をＦ１上の他の検出されたセルで反復する。一実施形態において、ＵＥは、Ｆ１上で検出された全てのセルのうちの最も強いセルにこの動作を先ず適用する。このセルが、自体が所望するＰＬＭＮに属さずに他のＰＬＭＮに属するセルがＦ１上にある場合、ＵＥは、Ｆ１上で検出された全てのセルのうちの次に最も強いセルにこの動作を適用する。
【００９９】
本発明の代替実施形態において、セルは、他のキャリア周波数（例えば、Ｆ２）上にこのセルに関連するＰＬＭＮ以外のＰＬＭＮがあるか否かを示す指示をブロードキャストする。
【０１００】
方法３−２：
【０１０１】
本発明のこの方法において、セルは、このセルに関連するＰＬＭＮではなく、このセルのキャリア周波数上で動作するＰＬＭＮのリストをブロードキャストする。該リストは、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ｃ及びＰＬＭＮ  Ｄに対応する１以上のセルがＦ１上にある場合、セルＡは、ＰＬＭＮ  Ｃ及びＰＬＭＮ  Ｄを含むリストＯｔｈｅｒＰＬＭＮｓＰｒｅｓｅｎｔＬｉｓｔをブロードキャストする。ＰＬＭＮ  Ａ及びＰＬＭＮ  Ｂとは異なるＰＬＭＮに対応するいかなるセルもＦ１上にない場合、セルＡは、ＯｔｈｅｒＰＬＭＮｓＰｒｅｓｅｎｔＬｉｓｔをブロードキャストしないか、或いは空リストをブロードキャストする。
【０１０２】
図９Ａは、本発明の他の実施形態による他のセルのＰＬＭＮ情報を獲得する方法を示すフローチャートである。
【０１０３】
段階Ｓ９１１において、ＵＥは、自体のＰＬＭＮ（例えば、ＰＬＭＮ  ＩＤ  Ａ）に属するセルを免許不要キャリアＦ１上で探索する。
【０１０４】
段階Ｓ９１２において、ＵＥは、免許不要キャリアＦ１上でセルを検出する。
【０１０５】
段階Ｓ９１３において、ＵＥは、Ｆ１上で検出されたセルＡのＳＩを取得する。取得されたＳＩに基づき、ＵＥは、セルＡが所望するＰＬＭＮ（例えば、登録されたＰＬＭＮ、又はそれと同等のＰＬＭＮ）に属するか否かを判定する。所望するＰＬＭＮのＩＤがセルに関連するＰＬＭＮのリストに存在する場合、セルＡに関連するＰＬＭＮのリストがセルＡから取得されたＳＩに含まれるセルＡは、自体が所望するＰＬＭＮに属する。セルＡが、自体が所望するＰＬＭＮに属さない場合、ＵＥは、セルＡから取得されたＳＩに基づき、該免許不要キャリアＦ１上に自体が所望するＰＬＭＮのセルがあるか否かをチェックする。ＳＩは、このセルに関連するＰＬＭＮとは異なるセルＡキャリア周波数（即ち、Ｆ１）上で動作するＰＬＭＮのリスト（ＯｔｈｅｒＰＬＭＮｓＰｒｅｓｅｎｔＬｉｓｔ）を含む。このセルに関連する他のＰＬＭＮとは異なるＰＬＭＮに対応するいかなるセルもＦ１上にない場合、セルＡは、ＯｔｈｅｒＰＬＭＮｓＰｒｅｓｅｎｔＬｉｓｔをブロードキャストしないか、或いは空リストをブロードキャストする。
【０１０６】
段階Ｓ９１４において、自体が所望するＰＬＭＮに属するいかなるセルもＦ１上にない場合、ＵＥは、Ｆ１上で自体のＰＬＭＮのセルを探索しない。
【０１０７】
図９Ｂは、本発明の他の実施形態による他のセルのＰＬＭＮ情報を獲得する方法を示すフローチャートである。
【０１０８】
段階Ｓ９２１において、ＵＥは、自体のＰＬＭＮ（例えば、ＰＬＭＮ  ＩＤ  Ａ）に属するセルを免許不要キャリアＦ１上で探索する。
【０１０９】
段階Ｓ９２２において、ＵＥは、免許不要キャリアＦ１上でセルを検出する。
【０１１０】
段階Ｓ９２３において、ＵＥは、Ｆ１上で検出されたセルＡのＳＩを取得する。取得されたＳＩに基づき、ＵＥは、セルＡが所望するＰＬＭＮ（例えば、登録されたＰＬＭＮ、又はそれと同等のＰＬＭＮ）に属するか否かを判定する。
【０１１１】
セルＡが、自体が所望するＰＬＭＮに属さない場合、ＵＥは、セルＡから取得されたＳＩに基づき、該免許不要キャリアＦ１上に他のＰＬＭＮのセルがあるか否かをチェックする。
【０１１２】
段階Ｓ９２４において、自体が所望するＰＬＭＮに属するセルがＦ１上にある場合、ＵＥは、Ｆ１上で自体のＰＬＭＮのセルを探索する。ＵＥは、この動作をＦ１上の他の検出されたセルで反復する。一実施形態において、ＵＥは、Ｆ１上で検出された全てのセルのうちの最も強いセルにこの動作を先ず適用する。このセルが、自体が所望するＰＬＭＮに属さずに自体が所望するＰＬＭＮに属するセルがＦ１上にある場合、ＵＥは、Ｆ１上で検出された全てのセルのうちの次に最も強いセルにこの動作を適用する。
【０１１３】
本発明の代替実施形態において、セルは、他のキャリア周波数（例えば、Ｆ２）上で動作するＰＬＭＮのリストをブロードキャストするか又はしない。
【０１１４】
方法３−３：
【０１１５】
本発明のこの方法において、セルは、このセルに関連するＰＬＭＮではなく、このセルのキャリア周波数上で動作するＰＬＭＮのリストをブロードキャストする。該リストは、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ｃ及びＰＬＭＮ  Ｄに対応する１以上のセルがＦ１上にある場合、セルＡは、ＰＬＭＮ  Ｃ及びＰＬＭＮ  Ｄを含むリストＯｔｈｅｒＰＬＭＮｓＰｒｅｓｅｎｔＬｉｓｔをブロードキャストする。セルがこのセルに関連するＰＬＭＮではなくこのセルのキャリア周波数上で動作するＰＬＭＮを認識することができない場合、該セルは、このセルのキャリア周波数上にこのセルに関連するＰＬＭＮではないＰＬＭＮがあるか否かを示す指示をブロードキャストする。
【０１１６】
免許不要キャリアＦ１上でセルを探索しているＵＥは、次の動作を遂行する：ＵＥは、Ｆ１上で検出されたセルＡのＳＩを取得する。取得されたＳＩに基づき、ＵＥは、セルＡが所望するＰＬＭＮ（例えば、登録されたＰＬＭＮ、又はそれと同等のＰＬＭＮ）に属するか否かを判定する。所望するＰＬＭＮのＩＤがセルに関連するＰＬＭＮのリストに存在する場合、セルＡに関連するＰＬＭＮのリストがセルＡから取得されたＳＩに含まれるセルＡは、自体が所望するＰＬＭＮに属する。セルＡが、自体が所望するＰＬＭＮに属さない場合、ＵＥは、セルＡから取得されたＳＩに基づき、該免許不要キャリアＦ１上に自体が所望するＰＬＭＮのセルがあるか否かをチェックする。ＳＩは、このセルに関連するＰＬＭＮではなくセルＡキャリア周波数（即ち、Ｆ１）上で動作するＰＬＭＮのリスト（ＯｔｈｅｒＰＬＭＮｓＰｒｅｓｅｎｔＬｉｓｔ）を含む。該セルがこのセルに関連するＰＬＭＮではなくこのセルのキャリア周波数上で動作するＰＬＭＮを認識することができない場合、該セルは、このセルのキャリア周波数上にこのセルに関連するＰＬＭＮではないＰＬＭＮがあるか否かを示す指示をブロードキャストする。
【０１１７】
ＯｔｈｅｒＰＬＭＮｓＰｒｅｓｅｎｔＬｉｓｔがＳＩに含まれ、所望するＰＬＭＮがＯｔｈｅｒＰＬＭＮｓＰｒｅｓｅｎｔＬｉｓｔに含まれない場合、ＵＥは、Ｆ１上で自体のＰＬＭＮのセルを探索しない。ＯｔｈｅｒＰＬＭＮｓＰｒｅｓｅｎｔＬｉｓｔがＳＩに含まれ、所望するＰＬＭＮがＯｔｈｅｒＰＬＭＮｓＰｒｅｓｅｎｔＬｉｓｔに含まれる場合、ＵＥは、Ｆ１上で自体のＰＬＭＮのセルを探索する。ＯｔｈｅｒＰＬＭＮｓＰｒｅｓｅｎｔＬｉｓｔが含まれず、ＳＩが異なるＰＬＭＮに属するセルがＦ１上にあること（例えば、ＯｔｈｅｒＰＬＭＮｓＡｂｓｅｎｔ＝ＦＡＬＳＥ）を示す場合、ＵＥは、自体のＰＬＭＮのセルをＦ１上で探索する。
【０１１８】
ＵＥは、この動作をＦ１上の他の検出されたセルで反復する。一実施形態において、ＵＥは、Ｆ１上で検出された全てのセルのうちの最も強いセルにこの動作を先ず適用する。このセルが、自体が所望するＰＬＭＮに属さず、自体が所望するＰＬＭＮに属するセルがＦ１上にある場合、ＵＥは、Ｆ１上で検出された全てのセルのうちの次に最も強いセルにこの動作を適用する。
【０１１９】
４．ＰＬＭＮ選択
【０１２０】
図１０は、免許キャリアに対するＰＬＭＮ選択のためのＰＬＭＮリストを準備する例を示す図である。
【０１２１】
段階Ｓ１０１０において、ＵＥ  ＡＳは、ＵＥ  ＮＡＳから可用ＰＬＭＮを探すための要請を受信する。
【０１２２】
段階Ｓ１０２０において、ＵＥ  ＡＳは、自体の能力によりＥ−ＵＴＲＡ帯域で全てのＲＦチャネルをスキャンする。
【０１２３】
段階Ｓ１０３０において、ＵＥ  ＡＳは、それぞれのキャリア上で最も強いセルを探索し、そのＳＩを判読する。
【０１２４】
段階Ｓ１０４０において、ＵＥ  ＡＳは、発見されたＰＬＭＮを高品質ＰＬＭＮとしてＮＡＳに報告するか、或いはそれをＲＳＲＰ値と共に報告する。ここで、高品質基準は、Ｅ−ＵＴＲＡＮ及びＮＢ−ＩｏＴセルの場合、測定されたＲＳＲＰ値が−１１０ｄＢｍ以上でなければならない。
【０１２５】
方法４−１：
【０１２６】
免許不要キャリアの場合に、本発明の一実施形態によるこの方法において、それぞれのキャリアに対してＰＬＭＮリストを準備する動作は、次の通りである：
【０１２７】
本発明のこの方法において、セルは、このセルに関連するＰＬＭＮではなくこのセルのキャリア周波数上で動作するＰＬＭＮのリストをブロードキャストする。リストは、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ｃ及びＰＬＭＮ  Ｄに対応する１以上のセルがＦ１上にある場合、セルＡは、ＰＬＭＮ  Ｃ及びＰＬＭＮ  Ｄを含むリストＯｔｈｅｒＰＬＭＮｓＰｒｅｓｅｎｔＬｉｓｔをブロードキャストする。ＰＬＭＮ  Ａ及びＰＬＭＮ  Ｂとは異なるＰＬＭＮに対応するいかなるセルもＦ１上にない場合、セルＡは、ＯｔｈｅｒＰＬＭＮｓＰｒｅｓｅｎｔＬｉｓｔをブロードキャストしないか、或いは空リストをブロードキャストする。セルに関連するＰＬＭＮのリストは、ＳＩでブロードキャストされる。
【０１２８】
＊高品質基準を充足させるセルがキャリア上で検出される：
【０１２９】
−検出されたセルのＳＩを取得。
【０１３０】
−ＳＩがＯｔｈｅｒＰＬＭＮｓＰｒｅｓｅｎｔＬｉｓｔを含む場合、キャリア上で他のセルを探索する必要がない；
【０１３１】
＊ＮＡＳに報告されるＰＬＭＮリスト
【０１３２】
−検出されたセルが関連するＰＬＭＮ及びＯｔｈｅｒＰＬＭＮｓＰｒｅｓｅｎｔＬｉｓｔのＰＬＭＮを追加
【０１３３】
−そうではなく、ＳＩがＯｔｈｅｒＰＬＭＮｓＰｒｅｓｅｎｔＬｉｓｔを含まない場合
【０１３４】
＊キャリア上で（Ｎ個まで）他のセルを探索：
【０１３５】
−ＮＡＳに報告されるＰＬＭＮリスト
【０１３６】
＞＞それぞれの検出されたセルが関連するＰＬＭＮを追加
【０１３７】
−Ｎは、ネットワークにより事前に定義されるか或いはシグナリングされる
【０１３８】
免許不要キャリア上で上述の手続きによって識別されたＰＬＭＮに加え、ＵＥは、従来技術の手続きを使用して免許キャリア上でＰＬＭＮを発見し（図１０に示した通りである）、免許キャリア上及び免許不要キャリア上で識別された全てのＰＬＭＮをＮＡＳに伝送する。
【０１３９】
方法４−２：
【０１４０】
免許不要キャリアの場合に、本発明の一実施形態によるこの方法において、それぞれのキャリアに対してＰＬＭＮリストを準備する動作は、次の通りである：
【０１４１】
本発明のこの方法において、セルは、このセルのキャリア周波数上にこのセルに関連するＰＬＭＮとは異なるＰＬＭＮがあるか否かを示す指示をブロードキャストする。その指示は、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ａ及びＰＬＭＮ  Ｂとは異なるＰＬＭＮに対応する１以上のセルがＦ１上にある場合、セルＡは、指示、例えばＦＡＬＳＥに設定されたＯｔｈｅｒＰＬＭＮＡｂｓｅｎｔ又はＴＲＵＥに設定されたＯｔｈｅｒＰＬＭＮＰｒｅｓｅｎｔをブロードキャストする。ＰＬＭＮ  Ａ及びＰＬＭＮ  Ｂとは異なるＰＬＭＮに対応するいかなるセルもＦ１上にない場合、セルＡは、指示、例えばＴＲＵＥに設定されたＯｔｈｅｒＰＬＭＮＡｂｓｅｎｔ又はＦＡＬＳＥに設定されたＯｔｈｅｒＰＬＭＮＰｒｅｓｅｎｔをブロードキャストする。セルに関連するＰＬＭＮのリストは、ＳＩでブロードキャストされる。
【０１４２】
＊高品質基準を充足させるセルがキャリア上で検出される：
【０１４３】
−検出されたセルのＳＩを取得。
【０１４４】
−ＳＩがこのセルに関連するＰＬＭＮとは異なるＰＬＭＮのいかなるセルもないことを示した場合、キャリア上で他のセルを探索する必要がない；
【０１４５】
＊ＮＡＳに報告されるＰＬＭＮリスト
【０１４６】
−検出されたセルが関連するＰＬＭＮを追加
【０１４７】
−そうではなく、ＳＩがこのセルに関連するＰＬＭＮとは異なるＰＬＭＮのセルがあることを示した場合
【０１４８】
＊キャリア上で（Ｎ個まで）他のセルを探索：
【０１４９】
−ＮＡＳに報告されるＰＬＭＮリスト
【０１５０】
＞＞それぞれの検出されたセルが関連するＰＬＭＮを追加
【０１５１】
−Ｎは、ネットワークにより事前に定義されるか或いはシグナリングされる
【０１５２】
免許不要キャリア上で上述の手続きによって識別されたＰＬＭＮに加え、ＵＥは、従来技術の手続きを使用して免許キャリア上でＰＬＭＮを発見し（図１０に示した通りである）、免許キャリア上及び免許不要キャリア上で識別された全てのＰＬＭＮをＮＡＳに伝送する。
【０１５３】
方法４−３：
【０１５４】
本発明のこの方法において、セルは、このセルに関連するＰＬＭＮではなくこのセルのキャリア周波数上で動作するＰＬＭＮのリストをブロードキャストする。リストは、ＳＩ（例えば、ＳＩＢ１）でブロードキャストされる。例えば、キャリア周波数Ｆ１上にセルＡがあるとする。セルＡは、ＰＬＭＮ  Ａ及びＰＬＭＮ  Ｂに属する。ＰＬＭＮ  Ｃ及びＰＬＭＮ  Ｄに対応する１以上のセルがＦ１上にある場合、セルＡは、ＰＬＭＮ  Ｃ及びＰＬＭＮ  Ｄを含むリストＯｔｈｅｒＰＬＭＮｓＰｒｅｓｅｎｔＬｉｓｔをブロードキャストする。セルがこのセルに関連するＰＬＭＮではなくこのセルのキャリア周波数上で動作するＰＬＭＮを認識することができない場合、セルは、このセルのキャリア周波数上にこのセルに関連するＰＬＭＮではないＰＬＭＮがあるか否かを示す指示をブロードキャストする。セルに関連するＰＬＭＮのリストは、ＳＩでブロードキャストされる。
【０１５５】
＊高品質基準を充足させるセルがキャリア上で検出される：
【０１５６】
−検出されたセルのＳＩを取得。
【０１５７】
−ＳＩがＯｔｈｅｒＰＬＭＮｓＰｒｅｓｅｎｔＬｉｓｔを含む場合、キャリア上で他のセルを探索する必要がない；
【０１５８】
＊ＮＡＳに報告されるＰＬＭＮリスト
【０１５９】
−検出されたセルが関連するＰＬＭＮ及びＯｔｈｅｒＰＬＭＮｓＰｒｅｓｅｎｔＬｉｓｔのＰＬＭＮを追加
【０１６０】
−そうではなく、ＳＩがこのセルに関連するＰＬＭＮとは異なるＰＬＭＮのセルがあるということを示した場合
【０１６１】
＊キャリア上で（Ｎ個まで）他のセルを探索：
【０１６２】
−ＮＡＳに報告されるＰＬＭＮリスト
【０１６３】
＞＞それぞれの検出されたセルが関連するＰＬＭＮを追加
【０１６４】
−Ｎは、ネットワークにより事前に定義されるか或いはシグナリングされる
【０１６５】
−そうではなく、ＳＩがこのセルに関連するＰＬＭＮとは異なるＰＬＭＮのいかなるセルもないということを示した場合、キャリア上で他のセルを探索する必要がない；
【０１６６】
＊ＮＡＳに報告されるＰＬＭＮリスト
【０１６７】
−検出されたセルが関連するＰＬＭＮを追加
【０１６８】
免許不要キャリア上で上述の手続きによって識別されたＰＬＭＮに加え、ＵＥは、従来技術の手続きを使用して免許キャリア上でＰＬＭＮを発見し（図１０に示した通りである）、免許キャリア上及び免許不要キャリア上で識別された全てのＰＬＭＮをＮＡＳに伝送する。
【０１６９】
図１１は、本発明の一実施形態によるＵＥ１１００を示す図である。
【０１７０】
図１１を参照すると、ＵＥ１１００は、プロセッサ１１１０、トランシーバ１１２０、及びメモリ１１３０を含む。しかし、例示した構成要素がいずれも必須であるわけではない。ＵＥ１１００は、図１１に例示した構成要素よりも更に多いか又は更に少ない構成要素によっても具現される。更には、プロセッサ１１１０、トランシーバ１１２０、及びメモリ１１３０は、他の実施形態により、単一チップとしても具現される。
【０１７１】
上述の構成要素について、更に詳細に説明する。
【０１７２】
プロセッサ１１１０は、提案された機能、プロセス、及び／又は方法を制御する１以上のプロセッサ、又は他のプロセッシングデバイスを含む。ＵＥ１１００の動作は、プロセッサ１１１０によって具現される。
【０１７３】
プロセッサ１１１０は、基地局からＳＩスケジューリング情報を受信するようにトランシーバを制御する。プロセッサ１１１０は、ＳＩスケジューリング情報に基づき、ＳＩメッセージに対する一次ＳＩウィンドウ番号又は二次ＳＩウィンドウ番号のうちの少なくとも一つを識別する。プロセッサ１１１０は、一次ＳＩウィンドウ番号に対応する少なくとも１つのウィンドウをモニタリングする。プロセッサ１１１０は、ＳＩメッセージが受信されないことに応答して、二次ＳＩウィンドウ番号に対応する少なくとも１つのウィンドウをモニタリングする。トランシーバ１１２０は、送信される信号をアップコンバーティング及び増幅するＲＦ送信器と、受信された信号の周波数をダウンコンバーティングするＲＦ受信器と、を含む。しかし、他の実施形態において、トランシーバ１１２０は、構成要素で図示したものよりも更に多いか又は更に少ない構成要素によっても具現される。
【０１７４】
トランシーバ１１２０は、プロセッサ１１１０に連結され、且つ／又は信号を送信及び／又は受信する。その信号は、制御情報（例えば、ＳＩメッセージ）とデータとを含む。また、トランシーバ１１２０は、無線チャネルを介して信号を受信し、信号をプロセッサ１１１０に出力する。トランシーバ１１２０は、プロセッサ１１１０から出力された信号を、無線チャネルを介して送信する。
【０１７５】
メモリ１１３０は、ＵＥ１１００によって獲得された信号に含まれる制御情報又はデータを保存する。メモリ１１３０は、プロセッサ１１１０に連結され、提案された機能、プロセス、及び／又は方法のための少なくとも１つの命令、プロトコル、又はパラメータを保存する。メモリ１１３０は、ＲＯＭ（ｒｅａｄ  ｏｎｌｙ  ｍｅｍｏｒｙ）、及び／又はＲＡＭ（ｒａｎｄｏｍ  ａｃｃｅｓｓ  ｍｅｍｏｒｙ）、及び／又はハードディスク、及び／又はＣＤ−ＲＯＭ（ｃｏｍｐａｃｔ  ｄｉｓｃ  ｒｅａｄ  ｏｎｌｙ  ｍｅｍｏｒｙ）、及び／又はＤＶＤ（ｄｉｇｉｔａｌ  ｖｅｒｓａｔｉｌｅ  ｄｉｓｃ）、及び／又は他の保存デバイスを含む。
【０１７６】
図１２は、本発明の一実施形態による基地局１２００を示す図である。
【０１７７】
図１２を参照すると、基地局１２００は、プロセッサ１２１０、トランシーバ１２２０、及びメモリ１２３０を含む。しかし、例示した構成要素がいずれも必須であるわけではない。基地局１２００は、図１２に例示したものよりも更に多いか又は更に少ない構成要素によっても具現される。更には、プロセッサ１２１０、トランシーバ１２２０、及びメモリ１２３０は、他の実施形態により、単一チップとしても具現される。
【０１７８】
上述の構成要素について、更に詳細に説明する。
【０１７９】
プロセッサ１２１０は、提案された機能、プロセス、及び／又は方法を制御する１以上のプロセッサ、又は他のプロセッシングデバイスを含む。基地局１２００の動作は、プロセッサ１２１０によって具現される。
【０１８０】
プロセッサ１２１０は、ＳＩメッセージに対する一次ＳＩウィンドウ番号及び二次ＳＩウィンドウ番号を獲得する。プロセッサ１２１０は、一次ＳＩウィンドウ番号及び二次ＳＩウィンドウ番号を含むＳＩスケジューリング情報を送信するようにトランシーバを制御する。プロセッサ１２１０は、ウィンドウが使用されていない場合、一次ＳＩウィンドウ番号又は二次ＳＩウィンドウ番号に対応するウィンドウでＳＩメッセージを送信するようにトランシーバを制御する。トランシーバ１２２０は、送信される信号をアップコンバーティング及び増幅するＲＦ送信器と、受信された信号の周波数をダウンコンバーティングするＲＦ受信器と、を含む。しかし、他の実施形態において、トランシーバ１２２０は、構成要素で図示したものよりも更に多いか又は更に少ない構成要素によっても具現される。
【０１８１】
トランシーバ１２２０は、プロセッサ１２１０に連結され、且つ／又は信号を送信及び／又は受信する。その信号は、制御情報とデータとを含む。また、トランシーバ１２２０は、無線チャネルを介して信号を受信し、信号をプロセッサ１２１０に出力する。トランシーバ１２２０は、プロセッサ１２１０から出力された信号を、無線チャネルを介して送信する。
【０１８２】
メモリ１２３０は、基地局１２００によって獲得された信号に含まれる制御情報又はデータを保存する。メモリ１２３０は、プロセッサ１２１０に連結され、提案された機能、プロセス、及び／又は方法のための少なくとも１つの命令、プロトコル、又はパラメータを保存する。メモリ１２３０は、ＲＯＭ、及び／又はＲＡＭ、及び／又はハードディスク、及び／又はＣＤ−ＲＯＭ、及び／又はＤＶＤ、及び／又は他の保存デバイスを含む。
【０１８３】
本明細書で説明した例示的実施形態のうちの少なくとも一部の例示的実施形態は、部分的又は全体的に専用特殊目的ハードウェアを使用しても構成される。本明細書で使用した「コンポーネント」、「モジュール」、又は「ユニット」のような用語は、特定のタスクを遂行するか、或いは関連する機能を提供するディスクリートコンポーネント又は統合コンポーネント、フィールドプログラマブルゲートアレイ（ＦＰＧＡ）形態又は注文型集積回路（ＡＳＩＣ）形態の回路のようなハードウェアデバイスを含むが、それらに制限されるものではない。一実施形態において、説明したエレメントは、有形であり、持続的であり、アドレス可能な記録媒体上に存在するように構成される１以上のプロセッサ上で実行されるように構成される。それらの機能的エレメントは、一実施形態において、一例として、ソフトウェアコンポーネント、オブジェクト指向ソフトウェアコンポーネント、クラスコンポーネント及びタスクコンポーネント、プロセス、関数、属性、プロシージャ、サブルーチン、プログラムコードのセグメント、ドライバ、ファームウェア、マイクロコード、回路、データ、データベース、データ構造、テーブル、アレイ、そして変数のようなコンポーネントを含む。例示的実施形態を本発明で論議されるコンポーネント、モジュール、及びユニットを参照して説明するにしても、そのような機能的エレメントは、更に少ないエレメントに結合されるか、或いは更なるエレメントに分離され得る。オプション的特徴の多様な組み合わせが本明細書で説明され、説明された特徴は、任意の適切な組み合わせで組み合わされるということが理解されるであろう。特に、任意の１つの例示的な実施形態の特徴は、任意の他の実施形態の特徴とそのような組み合わせとが互いに排他的な場合を除けば、適切であるままに組み合わされうる。この明細書全体に亘り、「含むところの」又は「含む」という用語は、明示されたコンポーネントを含むが、他のコンポーネントの存在を排除するものではないという意味である。
【０１８４】
本発明に対して本明細書と同時又はそれ以前に提出されるか、或いは本明細書と共に公開的閲覧について開かれたりする全ての論文及び文書に注目を要し、全てのそのような論文及び文書の内容は、参照によって本明細書に含まれる。
【０１８５】
本明細書で開示された特徴のいずれも（任意の請求項、要約書、及び図面を含む）、及び／又はそのように開示された任意の方法又はプロセスの段階のいずれも、そのような特徴及び／又は段階の少なくとも一部が、互いに排他的な組み合わせを除いた任意の組み合わせで組み合わされる。
【０１８６】
本明細書で開示されるそれぞれの特徴（任意の請求項、要約書、及び図面を含む）は、そうではないと確かに言及されない限り、同一であるか、同等であるか、或いは類似する目的に貢献する代案的特徴によって代替され得る。従って、そうではないと確かに言及されない限り、開示されたそれぞれの特徴は、一般的な一連の同等であるか、或いは類似した特徴の単に１つの例である。
【０１８７】
本発明を多様な実施形態によって説明したが、多様な変更及び修正が本技術分野の当業者に提案され得る。本発明は、請求項の範囲内に属するそのような変更及び修正を含むものであると意図される。
【符号の説明】
【０１８８】
１１００    ＵＥ
１１１０、１２１０    プロセッサ
１１２０、１２２０    トランシーバ
１１３０、１２３０    メモリ
１２００    基地局
【図１】
2022502897.tif 000003
【図２】
2022502897.tif 000004
【図３】
2022502897.tif 000005
【図４】
2022502897.tif 000006
【図５】
2022502897.tif 000007
【図６】
2022502897.tif 000008
【図７】
2022502897.tif 000009
【図８Ａ】
2022502897.tif 000010
【図８Ｂ】
2022502897.tif 000011
【図９Ａ】
2022502897.tif 000012
【図９Ｂ】
2022502897.tif 000013
【図１０】
2022502897.tif 000014
【図１１】
2022502897.tif 000015
【図１２】
2022502897.tif 000016
【国際調査報告】
2022502897.tif 000017
2022502897.tif 000018